(57)【要約】【課題】設置場所において簡単な作業により、デジタルサイネージを横置き、縦置き状態に切り替え可能なデジタルサイネージの取付け機構を提供すること。【解決手段】デジタルサイネージ３をパネルフェンス１の保持用単管パイプ５、６に取り付けるための保持金具７の固定位置を、横置き用の取付座３５から縦置き用の取付座３６に変更すると、デジタルサイネージ３を横置きから縦置き状態に変更できる。逆の場合にも同様に変更できる。パネルフェンス１のパネル取付枠１１に対する保持用単管パイプ５、６の取付け高さ位置を変更するだけで、共通の保持金具７を用いてデジタルサイネージ３の設置の向きを縦横に簡単に変更できる。【選択図】図２
2019039240.tif 000002
【特許請求の範囲】
【請求項１】
工事用仮囲いとして設置したパネルフェンスに形成したフェンス開口部の背面側の所定の保持位置に、デジタルサイネージを取り付けるデジタルサイネージの取付け機構であって、
前記パネルフェンスは、単管を縦横に組み付けて構成したパネル取付枠に、長方形のパネルを横方向に張り付けて形成したフェンス面を備えており、１枚あるいは複数枚分の前記パネルを、所定高さ寸法分だけ切断することによって、前記フェンス開口部が形成されており、
前記保持位置は、前記デジタルサイネージの長方形の表示画面を、前記フェンス開口部を介して前記パネルフェンスの前面の側から目視できる位置であり、
前記パネル取付枠には、前記デジタルサイネージを保持するための１本あるいは複数本の保持用単管が水平に架け渡されており、
前記デジタルサイネージには、当該デジタルサイネージを前記保持用単管に取り付けるための１個あるいは複数個の保持金具が着脱可能に固定されており、
前記保持金具を前記保持用単管に連結固定することで、前記デジタルサイネージが前記保持位置に保持されており、
前記デジタルサイネージは、前記表示画面が前面に露出している直方体形状の筐体を備え、当該筐体の四周の端面のうち、一対の長辺側外周端面には横置き用金具固定部が１個所あるいは複数個所に設けられ、残りの一対の短辺側外周端面には縦置き用金具固定部が１個所あるいは複数個所に設けられており、
前記表示画面の長辺が水平となる横置き状態で、前記デジタルサイネージを前記保持位置に保持する場合には、前記保持金具が前記横置き用金具固定部に固定され、
前記表示画面の長辺が垂直となる縦置き状態で、前記デジタルサイネージを前記保持位置に保持する場合には、前記保持金具が前記縦置き用金具固定部に固定されることを特徴とするデジタルサイネージの取付け機構。
【請求項２】
請求項１において、
前記デジタルサイネージの前記表示画面の四周縁と前記フェンス開口部の四周縁との間の隙間を、前記パネルフェンスの表面の側から目隠しするための目隠し枠を有しており、
前記デジタルサイネージの前記筐体には、前記目隠し枠を着脱可能に取り付ける枠取付部が１個所あるいは複数個所に形成されているデジタルサイネージの取付け機構。
【請求項３】
請求項１または２において、
前記デジタルサイネージが前記横置き状態および前記縦置き状態のうちのいずれの状態で前記保持位置に保持されているのかを示す設置状態信号を発生する信号発生部を有しており、
前記デジタルサイネージは、前記設置状態信号に基づき、前記表示画面の上下と、当該表示画面に表示される表示画像の上下とが一致するように、表示制御を行う制御部を備えているデジタルサイネージの取付け機構。
【請求項４】
請求項３において、
前記信号発生部は、
基準角度に対する前記デジタルサイネージの傾きを前記設置状態信号として出力する傾斜センサ、
操作されると前記設置状態信号を発生する手動操作部材、および、
前記横置き用金具固定部および前記縦置き用金具固定部に前記保持金具が固定されているか否かを検出し、検出信号を前記設置状態信号として出力するセンサ
のうちの少なくともいずれか一つであるデジタルサイネージの取付け機構。
【請求項５】
請求項１ないし４のうちのいずれか一つの項において、
前記デジタルサイネージの前記筐体は、その背面に、冷却ファンの冷却風を排出する排気口を備え、当該排気口にはルーバーが取り付けられており、
前記ルーバーは、前記横置き状態および前記縦置き状態に応じて、その向きを変更可能な状態で、前記筐体に取り付けられているデジタルサイネージの取付け機構。
【請求項６】
請求項２に記載のデジタルサイネージの取付け機構によってパネルフェンスに取り付けられるデジタルサイネージであって、
直方体形状の筐体の前面は、長方形の表示画面が露出しており、
前記筐体の四周の端面のうち、一対の長辺側外周端面には横置き用金具固定部が１個所あるいは複数個所に設けられ、残りの一対の短辺側外周端面には縦置き用金具固定部が１個所あるいは複数個所に設けられており、
前記横置き用金具固定部および前記縦置き用金具固定部には、共通の単管取付用の保持金具を着脱可能に固定でき、
前記筐体の前記四周の端面における前記前面の側の部位には、前記目隠し枠を着脱可能に取り付ける枠取付部が１個所あるいは複数個所に形成されていることを特徴とするデジタルサイネージ。
【請求項７】
請求項６において、
前記筐体が前記横置き状態および前記縦置き状態のうちのいずれの状態で前記保持位置に保持されているのかを示す設置状態信号を発生する信号発生部と、
前記設置状態信号に基づき、前記表示画面の上下と、当該表示画面に表示される表示画像の上下とが一致するように、表示制御を行う制御部と
を備えているデジタルサイネージ。
【請求項８】
請求項７において、
前記信号発生部は、
基準角度に対する前記デジタルサイネージの傾きを前記設置状態信号として出力する傾斜センサ、
操作されると前記設置状態信号を発生する手動操作部材、および、
前記横置き用金具固定部および前記縦置き用金具固定部に前記保持金具が固定されているか否かを検出し、検出信号を前記設置状態信号として出力するセンサ
のうちの少なくともいずれか一つであるデジタルサイネージ。
【請求項９】
請求項６ないし８のうちのいずれか一つの項において、
前記デジタルサイネージの前記筐体は、その背面に、冷却ファンの冷却風を排出する排気口を備え、当該排気口にはルーバーが取り付けられており、
前記ルーバーは、前記横置き状態および前記縦置き状態に応じて、その向きを変更可能な状態で、前記筐体に取り付けられているデジタルサイネージ。
【発明の詳細な説明】
【技術分野】
【０００１】
本発明は、工事現場の仮囲いとして設置されるパネルフェンスに取り付けて使用されるデジタルサイネージに関する。さらに詳しくは、横置き状態および縦置き状態に切り替え可能なデジタルサイネージおよび、その取付け機構に関する。
【背景技術】
【０００２】
工事現場の仮囲いには、工事概要その他の近隣住民や通行人に対する告知情報、広告宣伝などを表示するための看板が設置される。近年においては、液晶表示器などを備えたデジタルサイネージと呼ばれる電子看板が普及している。特許文献１には、仮囲いを構成するパネルに矩形の窓を開け、その背面側に、工事現場の看板としてデジタルサイネージを設置するディスプレイ設置装置が提案されている。
【０００３】
工事現場の仮囲いにデジタルサイネージを設置することにより、従来における看板とは異なり、各種の情報を表示できるので便利である。例えば、特許文献２においては、広告と共に交通案内情報を周辺住民、通行人に提供するシステムが提案されている。
【先行技術文献】
【特許文献】
【０００４】
【特許文献１】特開２０１６−１４２０６６号公報
【特許文献２】特開２０１０−２３６８６０号公報
【発明の概要】
【発明が解決しようとする課題】
【０００５】
仮囲いにデジタルサイネージを設置する場合には、仮囲いのパネルをくり抜いて、デジタルサイネージの長方形の表示画面に対応する大きさの矩形の穴を加工し、その背面側にデジタルサイネージが取り付けられる。デジタルサイネージの設置場所によって、横置き状態での設置よりも、縦置き状態での設置の方が適している場合がある。
【０００６】
従来においては事前に設置状態を検討し、設置状態に応じてパネルに穴加工により開口を形成し、デジタルサイネージと仮囲いとの間の取付け部分を構築している。このため、工事現場において、横置き状態に設置するために製作されたデジタルサイネージを縦置き状態に変更するには、取付け部分を変更する等の必要があり、簡単な作業によって切り替えることができない。また、設置状態を切り替える場合には、穴加工されたパネルを、新たなパネルに交換し、新たに穴加工を行って適切な開口部を設ける必要がある。さらに、穴加工においては、表示画面に対応する大きさの開口を正確に形成する必要がある。開口が広すぎると、表示画面の外周縁と開口部の内周縁との間に隙間ができ、パネル背面側のデジタルサイネージの筐体が露出し、仮囲いの美観を損ねるなどの弊害が発生する。
【０００７】
本発明の課題は、このような点に鑑み、簡単な作業により、設置されるデジタルサイネージを横置き状態および縦置き状態に切り替え可能なデジタルサイネージの取付け機構を提供することにある。
【０００８】
また、本発明の課題は、このための取付け機構部分を備えたデジタルサイネージを提供することにある。
【課題を解決するための手段】
【０００９】
上記の課題を解決するために、本発明による、工事用仮囲いとして設置したパネルフェンスに形成したフェンス開口部の背面側の所定の保持位置に、デジタルサイネージを取り付けるデジタルサイネージの取付け機構は次のように構成されている。
【００１０】
パネルフェンスは、単管を縦横に組み付けて構成したパネル取付枠に、長方形のパネルを横方向に張り付けて形成したフェンス面を備えている。１枚あるいは複数枚分のパネルを、所定高さ寸法分だけ全幅に亘って切り取ることによって、フェンス開口部が形成される。パネル取付枠には、デジタルサイネージを保持するための１本あるいは複数本の保持用単管が水平に架け渡されている。デジタルサイネージには、当該デジタルサイネージを保持用単管に取り付けるための１個あるいは複数個の保持金具が着脱可能に固定されている。保持金具を保持用単管に連結固定することで、デジタルサイネージが前記保持位置に保持される。
【００１１】
ここで、デジタルサイネージは、表示画面が前面に露出している直方体形状の筐体を備え、当該筐体の四周の端面のうち、一対の長辺側外周端面には横置き用金具固定部が１個所あるいは複数個所に設けられ、残りの一対の短辺側外周端面には縦置き用金具固定部が１個所あるいは複数個所に設けられている。表示画面の長辺が水平となる横置き状態で、デジタルサイネージを前記保持位置に保持する場合には、保持金具を横置き用金具固定部に固定しておく。表示画面の長辺が垂直となる縦置き状態で、デジタルサイネージを前記保持位置に保持する場合には、保持金具を縦置き用金具固定部に固定しておく。
【００１２】
デジタルサイネージにおいて、これをパネルフェンスに取り付けるための保持金具の取付け位置を、横置き用金具固定部から縦置き用金具固定部に変更するだけで、デジタルサイネージを横置き状態から縦置き状態に切り替え可能である。逆の場合にも同様に簡単に切り替え可能である。また、共通の保持用単管および共通の保持金具を用いて、デジタルサイネージの設置の向きを切り替え可能であり、単に、パネルフェンスのパネル取付枠に対する保持用単管の取付け高さ位置を変更するだけでよい。
【００１３】
さらに、フェンス開口部は、パネルを幅方向に切断して形成してあり、１枚のパネル幅あるいは複数枚のパネル幅に対応する幅寸法の開口部である。デジタルサイネージの設置の向きを切り替える場合において、パネルの穴加工は不要であり、パネルを幅方向に切断し、上下２枚の切断パネル片の間に必要な高さ寸法のフェンス開口部を形成できる。よって、フェンス開口部の形成あるいは、その変更も簡単な作業で行える。
【００１４】
本発明では、上記構成に加えて、デジタルサイネージの表示画面の四周縁とフェンス開口部の四周縁との間の隙間を、パネルフェンスの表面の側から目隠しするための目隠し枠を有している。また、デジタルサイネージの筐体には、目隠し枠を着脱可能に取り付ける枠取付部が１個所あるいは複数個所に形成されている。
【００１５】
目隠し枠を用いることにより、デジタルサイネージの表示画面の外周縁と、フェンス開口部の内周縁との間の隙間を隠すことができる。よって、パネル幅と表示画面の幅が一致していない場合等において隙間ができても、目隠し枠によって覆い隠されるので、パネルフェンスの前面側の美観が損なわれることがない。また、表示画面に対応するように、フェンス開口部を正確に形成する必要がないので、設置場所での作業が簡単になる。
【００１６】
デジタルサイネージの設置の向きを変更した場合には、それに応じて、表示画面に表示される画像の上下も切り替える必要がある。このために、デジタルサイネージが横置き状態および縦置き状態のうちのいずれの状態で前記保持位置に保持されているのかを示す設置状態信号を発生する信号発生部を配置し、デジタルサイネージには、設置状態信号に基づき、表示画面の上下と、当該表示画面に表示される表示画像の上下とが一致するように、表示制御を行う制御部を設ける。
【００１７】
この場合、信号発生部としては、基準角度に対するデジタルサイネージの傾きを設置状態信号として出力する傾斜センサを用いることができる。また、操作されると設置状態信号を発生する手動操作部材、例えば、制御部に接続される操作部に配置された手動スイッチあるいは手動ボタンを用いることができる。さらに、設置の向きを変更する場合には、保持金具が固定される位置が、横置き用金具固定部および縦置き用金具固定部の間で変更される。したがって、これらのいずれか、あるいは、双方に、保持金具が固定されているのかを検出するためのセンサあるいはスイッチを配置し、これらの出力から設置姿勢を検知してもよい。
【００１８】
また、デジタルサイネージの筐体には、一般に、内部の制御機器などを空冷するための冷却ファンが配置され、筐体の背面には、冷却風の排気口が形成されている。排気口には排気を所定方向に向けて排出させるためのルーバーが取り付けられている。設置の向きを変更した場合には、ルーバーの向きも一緒に変更することが望ましい。そこで、本発明においては、ルーバーを横置き状態および縦置き状態のそれぞれに適した向きにできるように、ルーバーが筐体に取り付けられている。
【図面の簡単な説明】
【００１９】
【図１】本発明の実施の形態においてデジタルサイネージが横置き状態で取り付けられた工事用仮囲いを示す正面図、側面図および背面側から見た場合の斜視図である。
【図２】図１に示す横置き状態で工事用仮囲いに取り付けられるデジタルサイネージを示す平面図、正面図および側面図である。
【図３】図２のデジタルサイネージの正面図および目隠し枠の正面図である。
【図４】デジタルサイネージが縦置き状態で取り付けられた工事用仮囲いを示す正面図および背面側から見た場合の斜視図である。
【図５】図４に示す縦置き状態で工事用仮囲いに取り付けられるデジタルサイネージを示す平面図、正面図および側面図である。
【図６】図１のデジタルサイネージの制御系を示す概略ブロック図である。
【図７】図１のデジタルサイネージを用いたネットワークシステムの例を示す概略ブロック図である。
【発明を実施するための形態】
【００２０】
以下に、図面を参照して、本発明を適用したデジタルサイネージおよびその取付け機構の実施の形態を説明する。図１（ａ）は本発明を適用した取付け機構によりデジタルサイネージが横置き状態で取り付けられた工事用仮囲いを示す正面図であり、図１（ｂ）はその側面図であり、図１（ｃ）はその背面側から見た場合の斜視図である。
【００２１】
本例の工事用仮囲いはパネルフェンス１であり、パネルフェンス１には矩形のフェンス開口部２が形成されている。パネルフェンス１におけるフェンス開口部２の背面側の部位には、予め設定した保持位置に、デジタルサイネージ３が取り付けられている。パネルフェンス１の前面側には、フェンス開口部２を介して、デジタルサイネージ３の長方形の表示画面４が露出している。通行人等は、表示画面４の表示内容を目視可能である。
【００２２】
パネルフェンス１は、単管パイプを縦横に組み付けたパネル取付枠１１に、縦長の長方形の仮囲い用のパネル１２を横方向に張り付けて構成した一定高さの垂直なフェンス面を備えている。フェンス開口部２は、１枚あるいは複数枚分のパネル１２を、所定長さ寸法分だけ全幅に亘って切り取ることによって形成されている。例えば、２枚のパネル１２を一定長さ寸法分だけ切り取って、一定高さで、２枚分のパネル幅の横長の長方形のフェンス開口部２が形成される。
【００２３】
パネル取付枠１１は、地表面に一定間隔で垂直に立てた支柱パイプ１３と、各支柱パイプ１３の上下の端部にそれぞれ水平に架け渡した上下の布パイプ１４、１５と、各支柱パイプ１３を地表面に垂直に支持している捨てパイプ１６、控えパイプ１７および繋ぎパイプ１８等から構成される。各パイプは、公知の直交クランプ、自在クランプ等のパイプクランプによって連結固定されている。
【００２４】
デジタルサイネージ３をパネルフェンス１のフェンス開口部２の背面側の部位に取付けるために、パネル取付枠１１には、１本あるいは複数本の保持用単管パイプがフェンス開口部２の上側、下側に水平に架け渡されている。本例では、１本ずつの保持用単管パイプ５、６がフェンス開口部２の上側および下側に、それぞれ配置されている。保持用単管パイプ５、６の両端部は、通常のパイプクランプによって、左右の支柱パイプ１３に連結固定されている。保持用単管パイプ５、６およびその連結金具は、それぞれ、パネル取付枠１１を構成する単管パイプおよびパイプクランプと共通の部品である。
【００２５】
図２（ａ）は、横置き状態で工事用仮囲いに取り付けられるデジタルサイネージ３を示す平面図であり、図２（ｂ）はその正面図であり、図２（ｃ）はその側面図である。図２に示すように、上下の保持用単管パイプ５、６には、デジタルサイネージ３に固定されている１個あるいは複数個の保持金具７が連結固定されている。これによって、デジタルサイネージ３が保持用単管パイプ５、６に取り付けられ、所定の保持位置に保持されている。保持位置は、デジタルサイネージ３の表示画面４が、フェンス開口部２に対して位置決めされ、当該フェンス開口部２を介して、パネルフェンス１の前面の側から表示画面４の全面を目視できる位置である。
【００２６】
デジタルサイネージ３は、表示画面４が前面に露出している直方体形状の筐体であるサイネージボックス３０の内部に構成部品が組み込まれた構造をしている。サイネージボックス３０の四周の端面のうち、上下一対の長辺側外周端面３１、３３には、横置き用金具固定部である取付座３５が１個所あるいは複数個所に設けられ、左右一対の短辺側外周端面３２、３４には縦置き用金具固定部である取付座３６が１個所あるいは複数個所に設けられている。本例では、長辺側外周端面３１、３３のそれぞれに、２個所に取付座３５が固定されている。同様に、短辺側外周端面３２、３４のそれぞれに、２個所に取付座３６が配置されている。
【００２７】
取付座３５、３６のそれぞれには、着脱可能に、単管パイプ取付用の保持金具７を固定可能である。図１に示す例においては、横置き用の取付座３５にそれぞれ保持金具７が固定されている。保持金具７は、ボルト等によって、サイネージボックス３０の取付座３５、３６に取り付け可能である。保持金具７は、水平方向から保持用単管パイプ５、６を装着可能な装着溝７１と、装着溝７１に装着された保持用単管パイプ５、６が抜け出ないように保持用単管パイプ５、６に係合可能な係合片７２とを備えている。一般的なパイプクランプを用いることもできる。
【００２８】
サイネージボックス３０の背面の所定の部位には、内蔵の電子部品あるいは電源部分などからの発熱を空冷するためのルーバー付き排気ファンおよびルーバー付き吸気口が取り付けられている。本例では、横置き状態のサイネージボックス３０の背面において、上側の左右２個所に、排気ファン８Ａが取り付けられており、下側の左右２個所に、吸気口８Ｂが取り付けられている。各排気ファン８Ａの排気口に取り付けたルーバー８１、および、各吸気口８Ｂに取り付けたルーバー８２は、それらの向きを変更できるように、取り付けられている。
【００２９】
ここで、サイネージボックス３０がフェンス開口部２よりも一回り小さい場合には、サイネージボックス３０の外周縁とフェンス開口部２の内周縁との間に一定幅で矩形枠状の隙間ができてしまう。また、デジタルサイネージ３の前面の表示画面４がフェンス開口部２よりも小さい場合には、それらの間に隙間ができてしまう。この状態は、パネルフェンス１の美観が損なわれるなどの点から好ましくない。しかし、フェンス開口部２と表示画面４を常に同一寸法となるように製作できない場合が多い。そこで、本例では、パネルフェンス１の前面の側から隙間を目隠しするための長方形の目隠し枠９が配置されている。図２（ｂ）においては、目隠し枠９に斜線を付して示してある。
【００３０】
図３（ａ）はサイネージボックス３０を示す正面図であり、図３（ｂ）は目隠し枠９を示す正面図である。サイネージボックス３０には、その前面側の外周縁に沿って、長辺側外周端面３１、３３、短辺側外周端面３２、３４に、それぞれ所定間隔で、枠取付部３７が配置されている。枠取付部３７は例えばＬ型断面の金属板から形成され、フェンス開口部２を介して、前面の側に露出している。背面側からねじ込まれたボルトなどによって、目隠し枠９が枠取付部３７に着脱可能に取り付けられている。パネルフェンス１の前面の側から見た場合に、目隠し枠９によって、デジタルサイネージ３の前面の表示画面４の四周縁からフェンス開口部２の内周縁までの間が覆い隠された状態になる（図２（ｂ）参照）。
【００３１】
この構成のデジタルサイネージ３は、図１に示すように、横置き状態でパネルフェンス１に取り付けられている。この場合には、サイネージボックス３０の長辺側外周端面３１、３３の取付座３５のそれぞれに、保持金具７が固定されている。各保持金具７を、上下の保持用単管パイプ５、６に連結固定することにより、所定の保持位置に、横置き状態でデジタルサイネージ３が取り付けられて保持された状態になる。
【００３２】
（縦置き状態での設置）
図４（ａ）は、デジタルサイネージ３が縦置き状態で取り付けられた工事用仮囲いを示す正面図であり、図４（ｂ）は背面側から見た場合の斜視図である。図５（ａ）は縦置き状態で工事用仮囲いに取り付けられたデジタルサイネージ３を示す平面図であり、図５（ｂ）はその正面図であり、図５（ｃ）はその側面図である。
【００３３】
デジタルサイネージ３を縦置き状態でパネルフェンス１に取り付ける場合には、例えば、パネルフェンス１の１枚のパネル１２の上下方向の中間部分を一定長さ分だけ切断して、１枚分のパネル幅で上下に長い矩形のフェンス開口部２Ａを形成する。フェンス開口部２Ａに対応した上下の高さ位置に、保持用単管パイプ５Ａ、６Ａを水平に架け渡す。保持金具７をサイネージボックス３０の短辺側外周端面３２、３４の側の取付座３６に固定し、ルーバー８１、８２の向きを下向きにする。また、目隠し枠９Ａとして、縦長状態の表示画面４の外周縁からフェンス開口部２Ａの内周縁までの間を覆い隠すことのできる大きさのものを用意しておく。
【００３４】
デジタルサイネージ３の各保持金具７を、上下の保持用単管パイプ５Ａ、６Ａに連結固定すると、縦置き状態のデジタルサイネージ３が、その縦長の表示画面４がフェンス開口部２Ａから前面の側に露出した所定の保持位置となるように、パネルフェンス１に取り付けられる。また、サイネージボックス３０の枠取付部３７に取り付けた目隠し枠９Ａによって、表示画面４の外周縁からフェンス開口部２Ａの内周縁までの間の隙間が覆い隠される。
【００３５】
（表示画像の切り替え制御）
図６は、デジタルサイネージ３の制御系を示す概略ブロック図である。デジタルサイネージ３の制御系は、コンピュータを中心に構成される制御部１００、液晶表示装置等からなる表示装置１０１、および、操作ボタン等が配列された操作部１０２から構成される。制御部１００の制御の元で、内部メモリあるいは外付けメモリに保持され、あるいは、外部から供給される表示画像、情報等が、表示装置１０１の表示画面４に表示される。
【００３６】
前述のように、デジタルサイネージ３は、パネルフェンス１に対する取付状態を、横置き状態および縦置き状態に切り替え可能である。この場合、制御部１００は、横置き状態、縦置き状態のいずれの場合においても、表示画面４に表示される表示画像の上下が、表示画面４の上下に一致するように、表示制御を行う必要がある。
【００３７】
このために、例えば、サイネージボックス３０には、設置状態を検出する信号発生部として、傾斜センサ１０３が取り付けられている。傾斜センサ１０３の出力に基づき、制御部１００の傾斜演算部１０４において基準角度、例えば、重力方向（鉛直方向）に対するサイネージボックス３０の傾きを検出する。傾きが、予め設定した閾値を超えた場合には、縦置き状態を示す設置状態信号を、制御部１００の表示制御部１０５に出力する。設置状態信号を受信することで、表示制御部１０５は、デジタルサイネージ３が横置き状態から縦置き状態に切り替わったと判断し、それ以後の画像表示においては、画像の上下を、縦長状態の表示画面４の上下に一致させるように表示制御を行う。逆に、縦置き状態から横置き状態に切り替わった場合には、傾斜センサ１０３からの出力に基づき、傾斜演算部１０４は横置き状態を示す設置状態信号を発生し、表示制御部１０５は、表示形態を横置き状態に切り替える。
【００３８】
傾斜センサ１０３を用いる代わりに、操作部１０２に手動操作用の表示切替スイッチ１０６を配置しておき、操作者が表示切替スイッチ１０６を操作して、表示を切り替えることも可能である。通信により、外部から表示の切り替えのための信号を供給することも可能であり、このような外部からの切り替え指令を有効、無効に切り替え可能にできる。
【００３９】
また、縦横の切り替えは、保持金具７が、取付座３５、３６のいずれに固定されているのかに基づき行ってもよい。例えば、取付座３６にメカニカルスイッチ１０７などを配置して、保持金具７が取り付けられると、検出信号を出力するようにしておく。制御部１００は、この出力信号から、横置き状態、縦置き状態を知ることができ、これに基づき、表示切替を行うことができる。
【００４０】
切替表示の制御では、例えば、同一の表示コンテンツについて、縦表示用コンテンツおよび横表示用コンテンツを用意しておき、これらを切替表示する。あるいは、座標変換処理を行って、同一表示コンテンツを縦表示、横表示に対応させてもよい。また、表示コンテンツは、内蔵メモリ、あるいは外付けメモリに保持しておいてもよいし、有線あるいは無線通信を介して外部から取り込むこともできる。
【００４１】
さらに、操作部１０２に手動操作部材として、次頁ボタン１０８および一時停止ボタン１０９を配置しておき、表示画面４上の表示内容の切り替えを行うことができる。例えば、次頁ボタン１０８が操作されると、制御部１００の表示制御部１０５は、表示内容を次頁に移動する。また、一時停止ボタン１０９が操作されると、表示中のページで一時停止する。このような機能はインストールされる制御プログラムを実行することで実現される。
【００４２】
なお、デジタルサイネージ３は、各種の計測機器に有線、無線回線を介して接続しておくことにより、計測値表示装置として機能させることができる。また、計測値が設定範囲を外れた場合に、警告を発生する警報装置して機能させることができる。
【００４３】
図７は、このような場合におけるデジタルサイネージ３を用いたネットワークシステムの一例を示す概略ブロック図である。この図に示すように、計測値演算部１１１と、１個あるいは複数個の計測器１１２〜１１４、１個または複数個のセンサ１１５から構成される計測部１１０が配置される。デジタルサイネージ３の制御部１００では、計測データと、ＧＰＳデータあるいは自局の位置情報が、有線あるいは無線の通信回線(有線／無線ネットワーク)を介して、通信部１１６に供給される。１台のデジタルサイネージ３（制御部１００）に対して、複数の計測部１１０を接続でき、制御部１００の表示制御部１０５は、複数の計測部１１０から取得したデータを、位置情報に基づいて、表示装置１０１の表示画面４上の地図または配置図等の上に表示する。
【００４４】
例えば、工事現場内の複数個所に設置した温度、湿度、風速、雨量、騒音、振動、照度、酸素濃度、二酸化炭素濃度、一酸化炭素濃度、粉塵、潮位、水位、臭気、電力などの測定用のセンサから計測値を受信し、画面上に表示した地図、建屋図面等に複数地点の計測値を表示し、また、内蔵メモリ、インターネット上のサーバなどに計測値を記憶する。
【００４５】
また、制御部１００は、計測値のそれぞれに対して、上限または下限の閾値を設定し、その範囲外となった計測値を受信した場合には、表示装置１０１に、警報を表示し、通信回線を介して接続されている警報装置１１７、または、事前に登録されている携帯電話などの携帯端末１１８に対して警報信号を送信し、または、インターネットを経由して、メールまたは警報を送信して、工事現場の担当者等に異常を知らせることができる。例えば、工事現場内に設置した警報装置１１７を鳴動させることにより、警報を発することができる。また、警報を、工事現場で作業する作業員が携帯する小型通信端末に送信できる。さらに、警報を、遠隔地の事務所等に伝送して、警報の鳴動および記録を行うことができる。
【００４６】
さらに、インターネット経由で地震速報等の緊急通報を受信可能にしておくことができる。緊急通報を受信した場合には、デジタルサイネージ３の制御部１００は、表示装置１０１にその旨を表示すると共に、有線、無線の通信回線を介して、事前に登録されているパソコンなどの通信端末（警報装置）１１７、スマートフォンなどの携帯端末１１８に緊急通報を行うことができる。なお、地震速報、その他の表示を行う際に必要となる表示装置１０１の設置場所、すなわち、デジタルサイネージ３の設置場所は、予め制御部１００に設定しておく。
【００４７】
例えば、避難情報、地震情報、津波予報、豪雨予報、土砂災害、河川洪水、気象警報、熱中症情報、火山情報、国民保護情報、防犯情報、自治体からの緊急情報が発表された際に、その表示を行い、前述の警報装置１１７、携帯端末１１８に対して、警報を送信することができる。
【符号の説明】
【００４８】
１      パネルフェンス
２      フェンス開口部
２Ａ    フェンス開口部
３      デジタルサイネージ
４      表示画面
５      保持用単管パイプ
５Ａ    保持用単管パイプ
６      保持用単管パイプ
６Ａ    保持用単管パイプ
７      保持金具
８Ａ    排気ファン
８Ｂ    吸気口
９      目隠し枠
９Ａ    目隠し枠
１１    パネル取付枠
１２    パネル
１３    支柱パイプ
１４    布パイプ
１５    布パイプ
１６    捨てパイプ
１７    控えパイプ
１８    繋ぎパイプ
３０    サイネージボックス
３１    長辺側外周端面
３２    短辺側外周端面
３３    長辺側外周端面
３４    短辺側外周端面
３５    取付座
３６    取付座
３７    枠取付部
７１    装着溝
７２    係合片
８１    ルーバー
８２    ルーバー
１００  制御部
１０１  表示装置
１０２  操作部
１０３  傾斜センサ
１０４  傾斜演算部
１０５  表示制御部
１０６  表示切替スイッチ
１０７  メカニカルスイッチ
１０８  次頁ボタン
１０９  一時停止ボタン
１１０  計測部
１１１  計測値演算部
１１２  計測器
１１３  計測器
１１４  計測器
１１５  センサ
１１６  通信部
１１７  警報装置
１１８  携帯端末
【図１】
2019039240.tif 000003
【図２】
2019039240.tif 000004
【図３】
2019039240.tif 000005
【図４】
2019039240.tif 000006
【図５】
2019039240.tif 000007
【図６】
2019039240.tif 000008
【図７】
2019039240.tif 000009